(57)【要約】【課題】本発明は、状況に応じて採光プレートの設置状態を自在に切り替えることのできる採光装置を提供する。【解決手段】本発明の採光装置は、窓面と平行に配置された採光面を有し、採光面に沿った水平方向に移動可能とされた可動採光プレートと、可動採光プレートを、採光面が窓面と平行に配置された姿勢で水平方向に移動させる水平移動機構と、を備える。【選択図】図１
2019215963.tif 000002
【特許請求の範囲】
【請求項１】
窓面と平行に配置された採光面を有し、前記採光面に沿った水平方向に移動可能とされた可動採光プレートと、
前記可動採光プレートを、前記採光面が窓面と平行に配置された姿勢で水平方向に移動させる水平移動機構と、を備えた、採光装置。
【請求項２】
前記水平移動機構は、水平方向に延在して前記可動採光プレートの水平移動をガイドするガイドレールと、前記可動採光プレートに設けられ、前記ガイドレールと嵌合した状態で前記ガイドレールに沿って移動可能とされた嵌合部材と、を備えた、請求項１に記載の採光装置。
【請求項３】
窓面と平行に配置された採光面を有し、前記窓面に対向する所定の位置に固定された固定採光プレートをさらに備えた、請求項２に記載の採光装置。
【請求項４】
前記水平移動機構は、前記可動採光プレートの採光面と前記固定採光プレートの採光面とが同一平面上に並ぶ位置と、前記可動採光プレートの採光面と前記固定採光プレートの採光面とが前記窓面に垂直な方向に重なる位置との間で前記可動採光プレートを移動させる、請求項３に記載の採光装置。
【請求項５】
前記ガイドレールは、前記窓面と平行、かつ水平方向に延在して前記窓面と平行な方向における前記可動採光プレートの移動をガイドする第１ガイドレールと、前記第１ガイドレールに対して垂直な方向、かつ水平方向に延在して前記窓面と垂直な方向における前記可動採光プレートの移動をガイドする第２ガイドレールと、を含む、請求項４に記載の採光装置。
【請求項６】
前記ガイドレールは、前記窓面と平行、かつ水平方向に延在して前記窓面と平行な方向における前記可動採光プレートの移動をガイドする第１ガイドレールと、前記第１ガイドレールに対して鋭角の角度をなす方向、かつ水平方向に延在して前記窓面に対して鋭角の角度をなす方向における前記可動採光プレートの移動をガイドする第３ガイドレールと、を含む、請求項４に記載の採光装置。
【請求項７】
前記可動採光プレートを水平方向に移動させるための操作部をさらに備えた、請求項１に記載の採光装置。
【発明の詳細な説明】
【技術分野】
【０００１】
本発明は、採光装置に関するものである。
【背景技術】
【０００２】
建築物の窓等を通して太陽光を室内に採り込むための採光装置が、従来から知られている（例えば特許文献１）。このような採光装置として、光透過性を有する基材の一面に複数のプリズム構造体からなる採光部が形成された採光フィルムと、採光フィルムを収容するフレームとを備えて構成される採光プレートを、例えば装着部等を介して室内の窓枠に取り付けて用いられるものがある。
【先行技術文献】
【特許文献】
【０００３】
【特許文献１】特開２０１３−１５６５５４号公報
【発明の概要】
【発明が解決しようとする課題】
【０００４】
しかしながら、採光プレートが窓枠に固定されていると、室内からの眺望が失われてしまい、空間の開放感を損なうことがある。また、例えば引き違い窓が設けられた個所に採光装置を設置した場合、窓を開けたときも採光プレートを動かすことができないため、採光プレートがベランダなどへの出入りや換気等の妨げになることがあった。そのため、採光プレートの設置状態を自在に切り替えることのできる構造が望まれている。
【０００５】
本発明の一つの態様は、上記従来技術の問題点に鑑み成されたものであって、状況に応じて採光プレートの設置状態を自在に切り替えることのできる採光装置を提供することを目的の一つとする。
【課題を解決するための手段】
【０００６】
本発明の一態様における採光装置は、窓面と平行に配置された採光面を有し、前記採光面に沿った水平方向に移動可能とされた可動採光プレートと、前記可動採光プレートを、前記採光面が窓面と平行に配置された姿勢で水平方向に移動させる水平移動機構と、を備えた構成とされている。
【０００７】
本発明の一態様における採光装置において、前記水平移動機構は、水平方向に延在して前記可動採光プレートの水平移動をガイドするガイドレールと、前記可動採光プレートに設けられ、前記ガイドレールと嵌合した状態で前記ガイドレールに沿って移動可能とされた嵌合部材と、を備えた構成としてもよい。
【０００８】
本発明の一態様における採光装置において、窓面と平行に配置された採光面を有し、前記窓面に対向する所定の位置に固定された固定採光プレートをさらに備えた構成としてもよい。
【０００９】
本発明の一態様における採光装置において、前記水平移動機構は、前記可動採光プレートの採光面と前記固定採光プレートの採光面とが同一平面上に並ぶ位置と、前記可動採光プレートの採光面と前記固定採光プレートの採光面とが前記窓面に垂直な方向に重なる位置との間で前記可動採光プレートを移動させる構成としてもよい。
【００１０】
本発明の一態様における採光装置において、前記ガイドレールは、前記窓面と平行、かつ水平方向に延在して前記窓面と平行な方向における前記可動採光プレートの移動をガイドする第１ガイドレールと、前記第１ガイドレールに対して垂直な方向、かつ水平方向に延在して前記窓面と垂直な方向における前記可動採光プレートの移動をガイドする第２ガイドレールと、を含む構成としてもよい。
【００１１】
本発明の一態様における採光装置において、前記ガイドレールは、前記窓面と平行、かつ水平方向に延在して前記窓面と平行な方向における前記可動採光プレートの移動をガイドする第１ガイドレールと、前記第１ガイドレールに対して鋭角の角度をなす方向、かつ水平方向に延在して前記窓面に対して鋭角の角度をなす方向における前記可動採光プレートの移動をガイドする第３ガイドレールと、を含む構成としてもよい。
【００１２】
本発明の一態様における採光装置は、前記可動採光プレートを水平方向に移動させるための操作部をさらに備えた構成としてもよい。
【発明の効果】
【００１３】
本発明によれば、状況に応じて採光プレートの設置状態を自在に切り替えることのできる採光装置を提供することができる。
【図面の簡単な説明】
【００１４】
【図１】窓に設置された状態の採光装置の外観を示す正面図であって、室内側（図２に示す矢印Ａ側）から見た図。
【図２】図１のＡ−Ａ’線に沿う断面図であって固定採光プレートの構成を示す図。
【図３】図１のＢ−Ｂ’線およびＣ−Ｃ’線に沿う断面図であって、可動採光プレートの構成を示す図。
【図４】可動採光プレートが「第１位置」にある状態を示す図。
【図５】可動採光プレートが「第２位置」にある状態を示す図。
【図６】片引き窓および可動採光プレートを移動させた後の状態を示す図。
【図７】第２実施形態の採光装置の概略構成を示す斜視図であって、第２可動採光プレートが「第１位置」にある状態を示す図。
【図８】可動採光プレートが「第２位置」にある状態を示す図。
【図９】第３実施形態の採光装置の概略構成を示す斜視図であって、第２可動採光プレートが「第１位置」にある状態を示す図。
【図１０】可動採光プレートが「第３位置」にある状態を示す図。
【図１１】第４実施形態の採光装置の概略構成を示す斜視図であって、第２可動採光プレートが「第２位置」にある状態を示す図。
【図１２】第２可動採光プレートが「第３位置」にある状態を示す図。
【図１３】第５実施形態の採光装置の概略構成を示す斜視図であって、可動採光プレートが「第１位置」にある状態を示す図。
【図１４】可動採光プレートが「第２位置」にある状態を示す図。
【図１５】第６実施形態の採光装置６０が窓枠に設置された状態を示す正面図であって、室内側（図１６に示す矢印Ａ側）から見た図。
【図１６】図１５のＤ−Ｄ’線およびＥ−Ｅ’線に沿う断面図であって、第６実施形態における可動採光プレート６２の構成を示す図。
【図１７】可動採光プレート６２が「第１の位置」にある状態を示す図。
【図１８】可動採光プレート６２が「第２の位置」にある状態を示す図。
【発明を実施するための形態】
【００１５】
以下、本発明に係る採光装置の実施形態について説明する。
なお、以下の各図面においては、各構成要素を見やすくするため、構成要素によって寸法の縮尺を異ならせて示すことがある。
【００１６】
［第１実施形態］
図１は、窓に設置された状態の採光装置１の外観を示す正面図であって、室内側（図２に示す矢印Ａ側）から見た図である。図２は、図１のＡ−Ａ’線に沿う断面図であって固定採光プレートの構成を示す図である。図３は、図１のＢ−Ｂ’線およびＣ−Ｃ’線に沿う断面図であって、可動採光プレートの構成を示す図である。図４は、可動採光プレートが「第１位置」にある状態を示す図である。図５は、可動採光プレートが「第２位置」にある状態を示す図である。
【００１７】
図１では、両袖片引きタイプの窓サッシ１００が設置されている室内の様子を示す。窓サッシ１００は、中央の固定窓１０１と、その両側の片引き窓１０２Ａ，１０２Ｂとにより構成されている。固定窓１０１は開けることができないが、両側の片引き窓１０２Ａ，１０２Ｂは、窓レール１０３（図３）に沿って、それぞれ固定窓１０１がある方向にスライドさせて開けることができる。
【００１８】
本実施形態の採光装置１は、上述した両袖片引きタイプの窓サッシ１００に対応している。図１に示すように、採光装置１は、窓枠１０９に固定された固定採光プレート１０と、窓枠１０９に対して移動可能に取り付けられた第１可動採光プレート１１および第２可動採光プレート１２と、第１可動採光プレート１１および第２可動採光プレート１２を移動させる水平移動機構１５と、を備えて構成されている。
【００１９】
図１に示した固定採光プレート１０（図２も併せて参照）、第１可動採光プレート１１（図３も併せて参照）および第２可動採光プレート１２（図３も併せて参照）は、少なくとも採光パネル１４とフレーム５とをそれぞれ備えている。固定採光プレート１０は、大きさは異なるが、第１可動採光プレート１１および第２可動採光プレート１２と同様の構成をなす。
【００２０】
採光パネル１４は、図１から図３に示すように矩形状のパネルである。採光パネル１４は、例えば、光透過性を有するパネル基材７と、パネル基材７の一面側に貼り合わされた採光フィルム９と、を備えている。
【００２１】
パネル基材７は、例えばガラス板を用いて形成されている。パネル基材７の材質としては、光透過性を有する樹脂であってもよく、ポリカーボネート（ＰＣ），ポリエチレンテレフタレート（ＰＥＴ），ポリメチルメタクリレート（ＰＭＭＡ）等が挙げられる。
【００２２】
採光フィルム９は、光透過性を有する基部２と、基部２の第１面２ａに設けられた複数の採光部３と、複数の採光部３の間に設けられた空隙部４と、を備えている。複数の採光部３は、入射した外光を反射および屈折させて室内へ導く。
【００２３】
なお、本実施形態の場合、複数の採光部３は、基部２と同一の材料で、基部２と一体に形成されている。そのため、複数の採光部３と基部２との界面は実際には存在しないが、説明の都合上、図２および図３の図面において、基部２の第１面２ａを、採光部３の第１面３Ａと同一の平面をなす仮想面（１点鎖線）として図示する。
【００２４】
基部２と採光部３とは、紫外線（ＵＶ）硬化樹脂もしくは熱硬化樹脂から構成されている。具体的には、ＵＶ硬化樹脂の一例として、ウレタンアクリレート、アクリル樹脂アクリレート、エポキシアクリレート等が挙げられる。熱硬化樹脂の一例として、アミノ樹脂、ユリア樹脂、ポリウレタン、エポキシ樹脂、不飽和ポリエステル樹脂等が挙げられる。
【００２５】
また、上記の樹脂材料に、重合開始剤、カップリング剤、モノマー、有機溶媒等を混合したものを用いることができる。さらに、重合開始剤は、安定剤、禁止剤、可塑剤、蛍光増白剤、離型剤、連鎖移動剤、他の光重合性単量体等のように、各種の添加成分を含んでいてもよい。
【００２６】
図２および図３に示すように、複数の採光部３は、各々が基部２の長手方向に延在し、かつ、基部２の短手方向に並んで設けられている。本実施形態では、各採光部３の断面形状は３角形であり、主に上側の斜面から入射した太陽光を下側の斜面で反射させ、部屋の天井側もしくは奥側に導く。なお、採光部３の断面形状は３角形に限ることなく、４角形以上の多角形でもよいし、曲面を有していてもよい。
【００２７】
隣り合う採光部３の間の空隙部４（空間）には、空気が存在している。そのため、採光部３と空隙部４との界面は、樹脂と空気との界面である。空隙部４は、他の低屈折率材料によって充填されていてもよい。しかしながら、採光部３の内部と外部との界面の屈折率差は、外部にいかなる低屈折率材料が存在する場合よりも空気が存在する場合に最大となる。
【００２８】
フレーム５は、例えばアルミニウム製の枠体で構成され、図１に示すように採光パネル１４の周囲を保持する。採光パネル１４は、図２および図３に示すように、周縁部１４ｃがフレーム５の内側に形成された溝５ｂに挿入されることにより収容されている。
【００２９】
本実施形態では、固定採光プレート１０が第１可動採光プレート１１および第２可動採光プレート１２の２倍以上の大きさとされているが、これに限らず、各採光プレート１０，１１，１２のそれぞれの大きさは、採光装置１を設置する窓の大きさに応じて自由に設定することができる。
【００３０】
固定採光プレート１０は、図１および図２に示すように、固定窓１０１の窓面１０１ａに対向するように窓枠１０９の略中央に固定されている。固定採光プレート１０は、窓面１０１ａと平行に配置された採光面１０Ａを有し、この採光面１０Ａが固定窓１０１の窓面１０１ａ側に向けられて設置されている。採光面１０Ａは、採光パネル１４の微細構造が形成された面からなり、本実施形態では外光が入射する光入射面となる。
【００３１】
固定採光プレート１０は、図１および図２に示すように、一対の設置部６，６によって窓枠１０９の上部から吊り下げられた状態で設置される。
【００３２】
図２に示すように、各設置部６は、例えば、フレーム５Ｃに収容された固定採光プレート１０を窓枠１０９に取り付けるための取付部材１０５と、複数の取付ネジ１０６と、備えている。取付部材１０５は、例えばステンレス製であり、フレーム取付部１０５Ａと窓枠取付部１０５Ｂとが互いに垂直な姿勢で連結され、断面視においてＬ字型の形状を呈している。取付部材１０５は、フレーム取付部１０５Ａおよび窓枠取付部１０５Ｂの各々の形成されたネジ孔１０５ｂに取付ネジ１０６を螺合させることにより、フレーム５Ｃあるいは窓枠１０９にそれぞれ固定される。なお、設置部６の構成や数は、上述したものに限らない。
【００３３】
このようにして、フレーム５Ａ内に収容された固定採光プレート１０が、設置部６を介して窓枠１０９に設置される。この状態において、固定採光プレート１０は、採光フィルム９のプリズム構造体からなる採光面１０Ａが固定窓１０１と対向し、かつ当該固定窓１０１の窓面１０１ａに平行な姿勢となる。
【００３４】
第１可動採光プレート１１および第２可動採光プレート１２は、図１および図３に示すように、水平移動機構１５を介して窓枠１０９に取り付けられている。水平移動機構１５は、上述した一対の設置部６，６よりも室内側に取り付けられる。水平移動機構１５は、例えばカーテンレールのような機構からなり、図１および図３に示すようなガイドレール１６、本発明の嵌合部材に係る複数のランナー（嵌合部材）１７を含んで構成されている。
【００３５】
ガイドレール１６は、窓枠１０９の天井側の上枠部１０９ａに取り付けられた水平方向に延在するレールである。本実施形態では、１つのガイドレール１６に第１可動採光プレート１１および第２可動採光プレート１２が取り付けられているため、第１可動採光プレート１１の採光面１１Ａと第２可動採光プレート１２の採光面１２Ａが同一平面上に並ぶこととなる。
【００３６】
ランナー１７は、第１可動採光プレート１１および第２可動採光プレート１２のそれぞれに、例えば一対ずつ設けられている。各ランナー１７は、ガイドレール１６の嵌合溝１６ａに嵌合する嵌合部１８と、嵌合部１８に取り付けられて当該嵌合部１８と第１可動採光プレート１１あるいは第２可動採光プレート１２とを繋ぐ接続部１９と、を有している。
なお、本実施形態では、接続部１９としてリング部材を用いているが、他の部材でもよく、例えばフックのようなものを用いてもよい。
【００３７】
ランナー１７は、ガイドレール１６と嵌合した状態でガイドレール１６に沿って一方向に移動可能とされている。これにより、第１可動採光プレート１１および第２可動採光プレート１２を、それぞれの採光面１１Ａ，１２Ａが片引き窓１０２Ａ，１０２Ｂの各窓面１０２ａ，１０２ｂに平行な状態のまま水平方向に移動させることができる。
【００３８】
水平移動機構１５は、例えば、上述した一対の設置部６，６よりも室内側に取り付けられているため、第１可動採光プレート１１および第２可動採光プレート１２が固定採光プレート１０よりも室内側に配置される。そのため、固定採光プレート１０にぶつかることなく、ガイドレール１６に沿って第１可動採光プレート１１および第２可動採光プレート１２を横方向に移動できる。
【００３９】
水平移動機構１５は、第１可動採光プレート１１および第２可動採光プレート１２を、図４に示す「第１位置」と、図５に示す「第２位置」との間で移動させる機構である。図４および図５では、第２可動採光プレート１２の移動前後の状態を示している。第１可動採光プレート１１は、第２可動採光プレート１２とは移動方向が逆になるだけのため、図示を省略する。図６は、片引き窓１０２Ａ，１０２Ｂおよび可動採光プレート１１,１２をそれぞれ移動させた後の状態を示す図である。
【００４０】
「第１位置」は、図１に示すように室内側から見たときに、窓枠中央の固定採光プレート１０の両側に第１可動採光プレート１１および第２可動採光プレート１２が配置され、採光面１０Ａに垂直な方向に互いに重なることなく全ての採光プレート１０，１１，１２が横に並ぶ位置である。この位置にあるとき、図３に示したように、第１可動採光プレート１１の採光面１１Ａが左側片引き窓１０２Ａの窓面１０２ａに対向し、第２可動採光プレート１２の採光面１２Ａが右側片引き窓１０２Ｂの窓面１０２ｂに対向する。このため、採光プレート１０，１１，１２のそれぞれに外光が直接入射し、採光プレート１０，１１，１２ごとに採光効果が得られる。
【００４１】
「第２位置」は、図６に示すように室内側から見たときに、第１可動採光プレート１１および第２可動採光プレート１２のそれぞれが、固定採光プレート１０と重なるように配置される位置である。第１可動採光プレート１１，第２可動採光プレート１２は、個別に移動することができる。図５に示すように、「第２位置」とされたとき、第１可動採光プレート１１，第２可動採光プレート１２は、それぞれが固定採光プレート１０とその採光面１０Ａに垂直な方向に重なり合う。このとき、第１可動採光プレート１１と第２可動採光プレート１２とが重なり合うことはない。固定採光プレート１０に対する第１可動採光プレート１１および第２可動採光プレート１２のそれぞれの重なり具合は、最大で、第１可動採光プレート１１および第２可動採光プレート１２の略全体が固定採光プレート１０に重なることが好ましい。
【００４２】
本実施形態の構成によれば、第１可動採光プレート１１および第２可動採光プレート１２を「第１位置」に配置することで、全ての採光プレート１０，１１，１２において採光効果を得ることができ、多くの太陽光を室内に採り込むことができる。また、第１可動採光プレート１１および第２可動採光プレート１２のそれぞれを、固定採光プレート１０に重なるように「第２位置」へスライドさせることで、片引き窓１０２Ａ，１０２Ｂの上部を開放させることができるので、必要に応じて屋外の眺望性を高めることができる。また、片引き窓１０２Ａ，１０２Ｂを開けて外に出る場合にも、第１可動採光プレート１１および第２可動採光プレート１２が邪魔にならず、出入りがスムーズに行える。また、一般的に、窓の上部（例えば窓枠１０９から高さ８０ｃｍ程度の範囲：図６参照）で換気が有効に行われることから、片引き窓１０２Ａ，１０２Ｂとともに可動採光プレート１１，１２を「第２位置」へスライドさせることによって、窓の上部を可動採光プレート１１，１２で塞いでしまうようなことがなくなり、室内を快適な環境に整えることができる。
【００４３】
また、本実施形態では、１つのガイドレール１６に２つの可動採光プレート１１，１２を取り付けた構成としたが、可動採光プレート１１，１２ごとにガイドレールを設置してもよい。
【００４４】
また、本実施形態では、固定採光プレート１０よりも室内側において、第１可動採光プレート１１および第２可動採光プレート１２をスライドさせることができる構成となっているが、この構成に限られない。例えば、水平移動機構１５を一対の設置部６，６よりも窓側に設置し、固定採光プレート１０よりも窓側において第１可動採光プレート１１および第２可動採光プレート１２をスライドさせる構成としてもよい。
【００４５】
また、水平移動機構１５を窓枠１０９に取り付けるのではなく、壁面や天井に取り付けるようにしてもよい。
【００４６】
なお、水平移動機構１５としては上述した構成に限られず、他の構成を採用することもできる。例えば、水平方向に延在するポールにリング状のランナーを通した移動機構であってもよい。
【００４７】
以下に、本発明に係る採光装置２０の各実施の形態について述べる。
各実施形態の説明において、第１可動採光プレート１１および第２可動採光プレート１２に対する水平移動機構の構成および操作手法はいずれの採光プレートであっても同様のため、第１可動採光プレート１１の図示を省略するとともに説明も適宜省略することもあるとともに、第２可動採光プレート１２のみを図示してこれについて説明を行うこともある。
【００４８】
［第２実施形態］
次に、第２実施形態の採光装置２０の構成について説明する。
以下に示す本実施形態の採光装置２０の基本構成は、上記第１実施形態と同様であり、水平移動機構の構成が操作コード式である点において異なる。
図７は、第２実施形態の採光装置２０の概略構成を示す斜視図であって、第２可動採光プレート１２が「第１位置」にある状態を示す図である。図８は、可動採光プレート１２が「第２位置」にある状態を示す図である。
【００４９】
本実施形態の採光装置２０は、ガイドレール１６、複数のランナー１７、移動操作コード（操作部）２１を含む水平移動機構２２を有している。移動操作コード２１は、少なくとも一つのランナー１７の嵌合部１８に連結されており、ガイドレール１６に沿って窓横の壁側に引き出されている。
【００５０】
本実施形態の水平移動機構２２は、移動操作コード２１が操作されることにより、第１可動採光プレート１１および第２可動採光プレート１２を、図７に示す「第１位置」と図８に示す「第２位置」との間で移動させる機能を有する。
【００５１】
図７および図８では、第２可動採光プレート１２の移動前後の様子を示している。
使用者が２本の移動操作コード２１のうちの一方を引っ張り、例えば図８中の矢印Ｆ方向へ移動させることで、第２可動採光プレート１２を図７に示す「第１位置」から図８に示す「第２位置」へと移動させることができる。また、使用者が２本の移動操作コード２１のうちの他方を引っ張り、先ほどとは反対の方向（図８中の矢印Ｇ方向）へ移動させることで、第２可動採光プレート１２を、「第２位置」から「第１位置」へと戻すことができる。
【００５２】
水平移動機構２２としては、例えば、第１可動採光プレート１１および第２可動採光プレート１２のそれぞれに移動操作コード２１を設け、各移動操作コード２１により、第１可動採光プレート１１および第２可動採光プレート１２を個別に移動させる構成となっている。
【００５３】
このように、本実施形態では、第１可動採光プレート１１および第２可動採光プレート１２のうち、移動させたい採光プレートに連結された移動操作コード２１を操作することで、第１可動採光プレート１１あるいは第２可動採光プレート１２を個別に移動させることができる。使用者は床に立った状態のままその場から動くことなく、移動操作コード２１を操作するだけで第１可動採光プレート１１あるいは第２可動採光プレート１２を移動させることができるので、手が届かない位置に設置された採光プレートであっても、必要なときに手動で簡単に移動させることが可能である。これにより、可動採光プレート１１，１２の移動操作性が向上し、眺望の確保や換気のために、可動採光プレート１１，１２を使用者が直接移動させる手間がなくなり簡単にスライドさせることができる。
【００５４】
なお、水平移動機構２２としては上述した構成に限られず、例えば、１つの移動操作コード２１を第１可動採光プレート１１および第２可動採光プレート１２の両方に連結させて、第１可動採光プレート１１および第２可動採光プレート１２が連動して移動する構成にしてもよい。
【００５５】
［第３実施形態］
次に、第３実施形態の採光装置３０の構成について説明する。
以下に示す本実施形態の採光装置３０の基本構成は、上記第１実施形態と同様であり、水平移動機構の構成が採光プレートの２軸方向移動式である点において異なる。
図９は、第３実施形態の採光装置３０の概略構成を示す斜視図であって、第２可動採光プレート１２が「第１位置」にある状態を示す図である。図１０は、可動採光プレート１２が「第３位置」にある状態を示す図である。
【００５６】
本実施形態の採光装置３０は、各可動採光プレート１１（図９および図１０において不図示），１２のそれぞれに連結された一対のランナー１７と、窓面に平行に延在する第１ガイドレール３６Ａと、第１ガイドレール３６Ａに連結された２組の第２ガイドレール３６Ｂ，３６Ｂとを少なくとも含む水平移動機構３２を有している。
本実施形態では、一対の第２ガイドレール３６Ｂ，３６Ｂを１組とし、第１可動採光プレート１１および第２可動採光プレート１２に対してそれぞれ１組ずつ設けられている。
【００５７】
各組における一対の第２ガイドレール３６Ｂ，３６Ｂは、窓面および第１ガイドレール３６Ａに対して直交し、窓側へ向けて延在している。第２ガイドレール３６Ｂ，３６Ｂは、第１可動採光プレート１１あるいは第２可動採光プレート１２の「第１位置」に相当する場所において、第１可動採光プレート１１あるいは第２可動採光プレート１２に設けられた一対の嵌合部１８，１８と同じ間隔になるよう互いに所定の間隔をあけて配置され、各々の一端側が第１ガイドレール３６Ａに連結されている。各第２ガイドレール３６Ｂの嵌合溝３６ｂは、第１ガイドレール３６Ａの嵌合溝３６ａに連通しており、各可動採光プレート（１１），１２に設けられた一対の嵌合部１８，１８が各ガイドレール３６Ａ，３６Ｂの嵌合溝３６ａ，３６ｂ内を自由に移動できる構成となっている。
【００５８】
本実施形態では、上述した水平移動機構３２によって、各可動採光プレート（１１）１２を、第１ガイドレール３６Ａに沿って、図９に示す「第１位置」と、上述した「第２位置」（不図示）との間で移動させることができるとともに、各可動採光プレート（１１），１２を第２ガイドレール３６Ｂに沿って、図９に示す「第１位置」と、図１０に示す「第３位置」との間で移動させることができる。
【００５９】
例えば、図９に示す「第１位置」にある第２可動採光プレート１２は、固定採光プレート１０と重ならず横に並んだ状態であるが、採光面１２Ａが固定採光プレート１０の採光面１０Ａと同一平面上には位置していない。そこで、図９に示す「第１位置」から図１０に示す「第３位置」へと第２可動採光プレート１２を移動させることによって、採光面１２Ａの位置を固定採光プレート１０の採光面１０Ａの位置と同一平面とすることができる。
【００６０】
本実施形態によれば、水平移動機構３２によって、可動採光プレート１１，１２の採光面１１Ａ，１２Ａと固定採光プレート１０の採光面１０Ａとが窓面に垂直な方向に重なる「第２位置」と、第１ガイドレール３６Ａ上において固定採光プレート１０の両側に可動採光プレート（１１），１２が並ぶ上記「第１位置」と、各組の第２ガイドレール３６Ｂ上において可動採光プレート１１，１２の採光面１１Ａ，１２Ａと固定採光プレート１０の採光面１０Ａとが同一平面上に並ぶ「第３位置」との間で、可動採光プレート１１，１２を移動させることができる。
【００６１】
可動採光プレート（１１），１２をそれぞれに対応する一対の第２ガイドレール３６Ｂに沿って「第１位置」から「第３位置」へとさらに移動させることによって、固定採光プレート１０と同じ位置まで窓に対して近づけることができる。これにより、可動採光プレート（１１），１２においてもより多くの光を採り入れることができる。また、各採光プレート１０、（１１），１２の各採光面１０Ａ，（１１Ａ），１２Ａが同一平面上で揃うことにより、各採光プレート１０，（１１），１２において同じような採光効果を得ることができるとともに、外観および内観の格調も高まる。
【００６２】
また、各採光プレート１０，（１１），１２の間の隙間を小さくすることができるので、これらの隙間から室内に直射光が漏れて入ってくるのを防ぐことができる。これにより、直射光による眩しさが抑えられ、快適な室内環境を得ることができる。
【００６３】
また、第１ガイドレール３６Ａ上に可動採光プレート（１１），１２の移動を規制するストッパーを設けてもよい。ストッパーを設けることで、可動採光プレート（１１），１２を第１ガイドレール３６Ａから第２ガイドレール３６Ｂ，３６Ｂへと移動させる際、第１ガイドレール３６Ａに沿って移動した可動採光プレート（１１），１２が第２ガイドレール３６Ｂ，３６Ｂを超えて固定採光プレート１０から遠ざかる方向へ行き過ぎてしまうのを防ぐことができる。これにより、可動採光プレート（１１），１２を、第１ガイドレール３６Ａから第２ガイドレール３６Ｂ，３６Ｂへとスムーズに移動させることができる。
【００６４】
あるいは、第１ガイドレール３６Ａの長さを短くして、レール終端の位置を、一対の第２ガイドレール３６Ｂ，３６Ｂのうち外側に位置する第２ガイドレール３６Ｂの位置に合わせる構成とすることによって、各可動採光プレート（１１），１２の移動を規制してもよい。
【００６５】
［第４実施形態］
次に、第４実施形態の採光装置４０の構成について説明する。
以下に示す本実施形態の採光装置４０は、可動採光プレートの２方向移動式である点においては上記第３実施形態と同様であるが移動方向が異なる。
図１１は、第４実施形態の採光装置４０の概略構成を示す斜視図であって、第２可動採光プレート１２が「第２位置」にある状態を示す図である。図１２は、第２可動採光プレート１２が「第３位置」にある状態を示す図である。
【００６６】
本実施形態の採光装置４０は、各可動採光プレート１１（図１１及び図１２において不図示），１２のそれぞれに連結された一対のランナー１７と、スライド方向を変えながら可動採光プレート（１１），１２を移動させるガイドレール４６と、を少なくとも含む水平移動機構４２を有している。
ガイドレール４６は、第１ガイドレール４６Ａ、第２ガイドレール４６Ｂ、および第３ガイドレール４６Ｃを有する。
【００６７】
第１ガイドレール４６Ａは、例えば、固定採光プレート１０の設置部６，６よりも室内側に位置し、第２可動採光プレート１２をその採光面１２Ａが固定採光プレート１０の採光面１０Ａおよび窓面と平行、かつ水平方向に延在する。
【００６８】
第２ガイドレール４６Ｂは、窓面からの距離が設置部６，６と同じであって設置部６，６の配列上に位置し、窓面と平行、かつ水平に延在する。
【００６９】
第３ガイドレール４６Ｃは、第１ガイドレール４６Ａから第２ガイドレール４６Ｂに向けて、第１ガイドレール４６Ａに対して鋭角の角度をなす斜め方向、かつ水平方向に延在し、第１ガイドレール４６Ａと第２ガイドレール４６Ｂとを接続する。第３ガイドレール４６Ｃは、一端側が第１ガイドレール４６Ａの先端に接続され、他端側が第２ガイドレール４６Ｂの一方の端部４６ｄよりも内側の所定位置に連結されている。
【００７０】
このような第１ガイドレール４６Ａは、直線部分４６ａ１において窓面と平行な方向における可動採光プレート１２の移動をガイドするとともに、窓面に対して鋭角の角度をなす方向における可動採光プレート１２の移動をガイドする。
【００７１】
第１ガイドレール４６Ａの嵌合溝４６ａ、第２ガイドレール４６Ｂの嵌合溝４６ｂ、第３ガイドレール４６Ｃの嵌合溝４６ｃは互いに連通しており、各採光プレート（１１）１２に設けられた一対のランナー１７，１７が各ガイドレール４６Ａ，４６Ｂ，４６Ｃの各嵌合溝４６ａ，４６ｂ，４６ｃを自由に移動できる構成となっている。
【００７２】
第２ガイドレール４６Ｂのうち、第３ガイドレール４６Ｃの接続地点Ｊから端部４６ｅまでの距離Ｌは、各可動採光プレート（１１），１２における一対のランナー１７，１７の間隔Ｗよりも長い距離とする。
【００７３】
本実施形態では、水平移動機構４２によって、可動採光プレート（１１），１２を図１１に示す「第２位置」と、図１２に示す「第３位置」との間で移動させることができる。具体的に可動採光プレート１２について説明すると、図１１に示すように「第２位置」にある可動採光プレート１２を第１ガイドレール４６Ａおよび第３ガイドレール４６Ｃに沿ってスライドさせ、一対のランナー１７，１７が第２ガイドレール４６Ｂへ移るまで移動させた後、第２ガイドレール４６Ｂの一方の端部４６ｅ側においてスライド方向を切り替えて、他方の端部４６ｄ側へ向けてスライドさせる。これにより、可動採光プレート１２を固定採光プレート１０の真横となる「第３位置」に配置することができる。
【００７４】
本実施形態においても、水平移動機構４２によって、可動採光プレート（１１），１２を「第２位置」と「第３位置」との間でスムーズに移動させることができる。ガイドレール４６に沿って可動採光プレート（１１），１２を移動させるだけで、各採光面（１１Ａ），１２Ａが固定採光プレート１０の採光面１０Ａと同一平面となる位置に、可動採光プレート（１１）１２を配置することができる。
【００７５】
また、固定採光プレート１０の両側に可動採光プレート（１１），１２を隙間なく配置することができるので、上述した第３実施形態と同様に、直射光の光漏れを防ぐことができるとともに、外観および内観の格調も高めることができる。
【００７６】
上述した第３実施形態及び第４実施形態の採光装置においても、操作コードを備えた構成としてもよい。
【００７７】
［第５実施形態］
次に、第５実施形態の採光装置５０の構成について説明する。
図１３は、第５実施形態の採光装置５０の概略構成を示す斜視図であって、可動採光プレート５１が「第１位置」にある状態を示す図である。図１４は、可動採光プレート５１が「第２位置」にある状態を示す図である。図１３および図１４の図中において二点鎖線で囲む領域は太陽光が差し込む領域を示している。
【００７８】
以下に示す本実施形態の採光装置５０は、可動採光プレート５１と、可動採光プレート５１のスライド具合を調整するスライド調整機構５２と、を備えている。
【００７９】
採光装置５０は、スライド可能な可動採光プレート５１のみを備えた構成となっている。スライド調整機構５２は、窓面に平行に延在するガイドレール５３と、ガイドレール５３に嵌合するとともに可動採光プレート５１をガイドレール５３に嵌合する一対のランナー１７，１７と、一対のランナー１７，１７のうち少なくとも一方に接続されたスライド調整コード（操作部）５４と、を含んで構成されている。スライド調整コード５４は、ガイドレール５３に沿って窓横の壁側に引き出されている。
【００８０】
本実施形態では、スライド調整コード５４を操作することで、可動採光プレート５１をガイドレール５３に沿って一方向へスライドさせることができる。窓に太陽光が差し込む領域は一日のうちの時間や季節とともに変化する場合があるが、このような変化に応じて、太陽光が差し込む領域内へ可動採光プレート５１を移動させることによって（図１３および図１４参照）、可動採光プレート５１を通じて長い間に亘り採光効果を得ることができる。その時々に応じて、可動採光プレート５１の位置を調整して日が当たる場所へと配置することで、可動採光プレート５１の効果を最大限発揮させることが可能である。
【００８１】
本実施形態の構成は、上述した他の実施形態に応用することもできる。
【００８２】
［第６実施形態］
次に、第５実施形態の採光装置６０の構成について説明する。
図１５は、第６実施形態の採光装置６０が窓枠に設置された状態を示す正面図であって、室内側（図１６に示す矢印Ａ側）から見た図である。図１６は、図１５のＤ−Ｄ’線およびＥ−Ｅ’線に沿う断面図であって、第６実施形態における可動採光プレート６２の構成を示す図である。図１７は、可動採光プレート６２が「第１の位置」にある状態を示す図である。図１８は、可動採光プレート６２が「第２の位置」にある状態を示す図である。
【００８３】
本実施形態の採光装置６０は、図１５及び図１６に示すように、第１のガイドレール１６と、第１のガイドレール１６と対をなす第２のガイドレール６６と、第１のガイドレール１６に沿って移動する複数のランナー６７と、各ランナー６７と可動採光プレート１１，１２とを接続する複数の接続部６９と、を有する水平移動機構６５を備えている。
【００８４】
水平移動機構６５は、可動採光プレート（１１：図１７および図１８では不図示），１２を、上下のガイドレール１６，６６に沿って、図１７に示す「第１位置」と、図１８に示す「第２位置」との間で移動させる機能を有する。
【００８５】
図１５に示すように、第１のガイドレール１６は、窓枠１０９の天井側の上枠部１０９ａに取り付けられた水平方向に延在するレールである。第２のガイドレール６６は、第１可動採光プレート１１および第２可動採光プレート１２を介して第１のガイドレール１６と対向する位置に設けられている。第２のガイドレール６６は、例えば、図１５に示す窓枠１０９の横枠部１０９ｂ，１０９ｂを繋ぐように設けられたガイドレール支持部６８の上面に配置されている。
【００８６】
第２のガイドレール６６は、第１のガイドレール１６と同様、固定採光プレート１０の設置部６，６よりも室内側に位置し、第１のガイドレール１６と対向している。
【００８７】
ランナー６７は、ガイドレール１６の嵌合溝１６ａに嵌合する嵌合部１８を有している。
嵌合部１８には、可動採光プレート１１，１２の各フレーム５Ａ，５Ｂの上溝５ｄに挿入される下端部（嵌合溝１６ａに嵌合している上端部とは反対側）に、貫通孔１８ａが形成されており、上記接続部６９が挿通される。
接続部６９は、嵌合部１８の貫通孔１８ａに挿通された状態でフレーム５に設けられたネジ孔５ｅに螺合され、フレーム５と嵌合部１８とを接続している。
【００８８】
本実施形態では、嵌合部１８とフレーム５とを接続する接続部６９が、ランナー１７とは別部材となっている。
【００８９】
また、本実施形態の採光装置６０は、上述した他の実施形態の吊り下げタイプとは異なり、上下のガイドレール１６，６６によって保持された欄間タイプとなっている。
【００９０】
本実施形態においても、水平移動機構６５によって、可動採光プレート（１１），１２を、一対のガイドレール１６，６６に沿ってスムーズに移動させることができる。
【００９１】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【符号の説明】
【００９２】
１，２０，３０，４０，５０…採光装置、１０…固定採光プレート、１０，１１…採光プレート、１０Ａ，１１Ａ，１２Ａ…採光面、１１，１２，５１…可動採光プレート、１５，２２，３２，４２…水平移動機構、１６，３６Ａ，４６，４６Ａ，５３…ガイドレール、１７…ランナー（嵌合部材）、１８…嵌合部、２１…移動操作コード（操作部）、３６Ａ，４６Ａ…第１ガイドレール、３６Ｂ，４６Ｂ…第２ガイドレール、４６Ｃ…第３ガイドレール、５４…スライド調整コード（操作部）、１０１ａ，１０２ａ，１０２ｂ…窓面
【図１】
2019215963.tif 000003
【図２】
2019215963.tif 000004
【図３】
2019215963.tif 000005
【図４】
2019215963.tif 000006
【図５】
2019215963.tif 000007
【図６】
2019215963.tif 000008
【図７】
2019215963.tif 000009
【図８】
2019215963.tif 000010
【図９】
2019215963.tif 000011
【図１０】
2019215963.tif 000012
【図１１】
2019215963.tif 000013
【図１２】
2019215963.tif 000014
【図１３】
2019215963.tif 000015
【図１４】
2019215963.tif 000016
【図１５】
2019215963.tif 000017
【図１６】
2019215963.tif 000018
【図１７】
2019215963.tif 000019
【図１８】
2019215963.tif 000020